(57)【要約】【課題】ブラケット本体の取付座板からタッピングネジの頭部が見苦しく露出しないダイカスト製のエルボ型手摺り受けブラケットを提供する。【解決手段】ブラケット本体（Ａ）の手摺り受け入れ口筒（１０）から取付座板（Ｂ）への被覆状態に通し込む合成樹脂製化粧カバー（Ｃ）の内周面から、複数の係止凸条（２４）を点在分布状態に張り出す一方、その凸条受け入れ凹溝（２２）を取付座板（Ｂ）の外周面に切り欠いて、上記化粧カバー（Ｃ）を取付座板（Ｂ）への被覆状態に押し込み操作した時、一旦弾力的に拡開する化粧カバー（Ｃ）の係止凸条（２４）が、その復元収縮力により取付座板（Ｂ）の凸条受け入れ凹溝（２２）へ自づと嵌まり込み係止して、化粧カバー（Ｃ）と取付座板（Ｂ）との向かい合う相互間に、タッピングネジ（２０）の頭部逃し入れスペース（Ｓ）を確保した。【選択図】  図１４
2004176336.tif 000002
【特許請求の範囲】
【請求項１】
手摺り（Ｇ）の受け入れ口筒（１０）とその支持脚筒（１１）とが、入隅側では曲率半径（Ｒ１）の小さく鋭い円弧面（１２ａ）をなし、出隅側では別異な中心（Ｏ２）からの曲率半径（Ｒ２）が大きく緩やかな円弧面（１２ｂ）をなす連続的なほぼ直角（θ）に屈曲された亜鉛合金ダイカスト製又はアルミ合金ダイカスト製のブラケット本体（Ａ）と、
そのブラケット本体（Ａ）における支持脚筒（１１）の根元部から連続一体に張り出して、複数のタッピングネジ（２０）により建物の壁面（Ｗ）へ取り付け固定される取付座板（Ｂ）と、
上記取付座板（Ｂ）と対応する平面形状であって、しかもその取付座板（Ｂ）の一定厚み（Ｔ１）よりも深い一定深さ（Ｈ３）の断面倒立Ｕ字型に造形された別個な化粧カバー（Ｃ）とを備え、
上記ブラケット本体（Ａ）の最大外径（Ｄ２）よりも若干大きな内径（ｄ２）の円形として、化粧カバー（Ｃ）の中央部に開口形成された通し込み口（２３）を、そのブラケット本体（Ａ）の手摺り受け入れ口筒（１０）から通し込んで、上記取付座板（Ｂ）に被覆させるエルボ型手摺り受けブラケットにおいて、
上記化粧カバー（Ｃ）をＡＢＳ樹脂などの硬質な合成樹脂製品として、その内周面から複数の係止凸条（２４）を点在分布状態に張り出す一方、
上記支持脚筒（１１）と取付座板（Ｂ）との境界部を、化粧カバー（Ｃ）の通し込み口（２３）と嵌合する外径（Ｄ３）の目地用台輪（１６）として根巻き厚肉状態に張り出し増強すると共に、
上記取付座板（Ｂ）の外周面に化粧カバー（Ｃ）の係止凸条（２４）を受け入れる凸条受け入れ凹溝（２２）を、その外周面の全体的に開口連続する環状形態又は点在分布状態に開口する複数として切り欠き、
上記化粧カバー（Ｃ）を取付座板（Ｂ）への被覆状態に押し込み操作した時、一旦弾力的に拡開する化粧カバー（Ｃ）の係止凸条（２４）が、その復元収縮力により取付座板（Ｂ）の凸条受け入れ凹溝（２２）へ自づと嵌まり込み係止して、
その化粧カバー（Ｃ）の表面と上記目地用台輪（１６）の表面とをほぼ面一状態に維持すると共に、同じく化粧カバー（Ｃ）と取付座板（Ｂ）との向かい合う相互間に、上記タッピングネジ（２０）の頭部逃し入れスペース（Ｓ）を確保したことを特徴とするエルボ型手摺り受けブラケットの化粧装置。
【請求項２】
ブラケット本体（Ａ）の支持脚筒（１１）とその根元部から張り出す取付座板（Ｂ）との境界部を、化粧カバー（Ｃ）の通し込み口（２３）と嵌合する外径（Ｄ３）の目地用台輪（１６）と、その嵌合した化粧カバー（Ｃ）を受け止め得る外径（Ｄ４）の化粧カバー受け止め用台輪（１７）との２段階として、
その両台輪（１６）（１７）が化粧カバー（Ｃ）の一定厚み（Ｔ２）とほぼ等しい高低段差（Ｈ１）を保つ根巻き厚肉状態に張り出し増強したことを特徴とする請求項１記載のエルボ型手摺り受けブラケットの化粧装置。
【請求項３】
取付座板（Ｂ）を手摺り（Ｇ）の長手方向と直交する方向に沿い延在し、且つ４辺が凸曲面をなす平面視の擬似長方形として、その各辺となる内周面のほぼ中央部から係止凸条（２４）の１個づつを張り出したことを特徴とする請求項１記載のエルボ型手摺り受けブラケットの化粧装置。
【請求項４】
ブラケット本体（Ａ）と化粧カバー（Ｃ）へ、塗装やその他の表面処理による同じ着色を施したことを特徴とする請求項１記載のエルボ型手摺り受けブラケットの化粧装置。
【発明の詳細な説明】
【０００１】
【発明の属する技術分野】
本発明はエルボ型手摺り受けブラケットの化粧装置に関する。
【０００２】
【従来の技術】
本発明の出願人は先に特許第２９５２３２１号を提案し、その実施事業化により相当の成果を収めることができた。
【０００３】
これは、ステンレス鋼管やその他の金属管からバルジ成形されたエルボ型の手摺り受け金具であって、特にその金具本体管（Ａ）の脚管部（１１）が建物の壁面などからいたづらに大きく張り出すことを防ぎ、同じく金具本体管（Ａ）の腕管部（１２）へ手摺り（Ｇ）を奥深く安定・確固に差し込み一体化できるようにするため、上記金具本体管（Ａ）の入隅側を曲率半径（Ｒ１）の小さな円弧面（１２ａ）とし、同じく出隅側を異なる中心（Ｏ２）からの曲率半径（Ｒ２）が大きな円弧面（１３ｂ）として、シャープな約９０度（α）に屈曲形成している。
【０００４】
しかも、上記公知発明には金具本体管（Ａ）の最大外径（Ｐ）と対応する内径（Ｅ）の通し込み口（２５）が形成された別個な化粧カバー（２４）や、これを金具本体管（Ａ）の腕管部（１２）から取付座板（１９）への被覆状態に通し込んで、その通し込み口（２５）を取付座板（１９）から隆起する目地用口金（２０）と嵌合させることも記載されており、取付座板（１９）の表面から木ネジ又はビス（２３）の頭部が見苦しく露出しないようになっている点で、本発明に最も近似すると言える。
【０００５】
【発明が解決しようとする課題】
ところが、このような公知発明はあくまでもステンレス鋼管なとの金属管から成るエルボ型の手摺り受け金具であるため、その金具本体管（Ａ）の最大外径（Ｐ）と対応する外径（Ｃ）の目地用口金（２０）が予じめ隆起された別個な取付座板（１９）を作成の上、その取付座板（１９）を上記金具本体管（Ａ）の脚管部（１１）へ溶接一体化する必要がある。
【０００６】
他方、化粧カバー（２４）も上記通し込み口（２５）が予じめ打ち抜き形成された金属板から、取付座板（１９）の被覆可能な断面倒立Ｕ字型に曲げ加工すると共に、その内周面から張り出す複数の突子（２６）を突き起し加工しておかなければならず、その多工程を要するため、未だ量産効果を最大限に発揮させることができない。
【０００７】
又、上記化粧カバー（２４）は金属板から成るため、これを金具本体管（Ａ）の腕管部（１２）から取付座板（１９）への被覆状態に通し込む際、その通し込み口（２５）の打ち抜き開口エッジによって、金具本体管（Ａ）の表面に摺り傷を与えるおそれがあり、注意を要する。
【０００８】
更に、上記取付座板（１９）に対する化粧カバー（２４）の最終的な被覆状態では、その化粧カバー（２４）の内周面から張り出す突子（２６）が、取付座板（１９）の平滑な外周面へ弾力的に係止するだけであるため、その正規な深さ位置までの被覆状態を作業手に感得することができない。
【０００９】
その結果、金属板同志の点接触に過ぎないこととも相俟って、爾後的に化粧カバー（２４）が取付座板（１９）から滑り抜けるおそれがあり、又逆に上記突子（２６）が取付座板（１９）の裏面へ係止するまで、化粧カバー（２４）を奥深く押し込むと、木ネジやビス（２３）の頭部と接触して、その化粧カバー（２４）の不安定に傾斜するおそれがあり、その意味から皿型頭部付き木ネジやビス（２３）の使用を余儀なくされることになる。
【００１０】
【課題を解決するための手段】
本発明はこのような課題の改良を企図しており、そのための構成上手摺りの受け入れ口筒とその支持脚筒とが、入隅側では曲率半径の小さく鋭い円弧面をなし、出隅側では別異な中心からの曲率半径が大きく緩やかな円弧面をなす連続的なほぼ直角に屈曲された亜鉛合金ダイカスト製又はアルミ合金ダイカスト製のブラケット本体と、
【００１１】
そのブラケット本体における支持脚筒の根元部から連続一体に張り出して、複数のタッピングネジにより建物の壁面へ取り付け固定される取付座板と、
【００１２】
上記取付座板と対応する平面形状であって、しかもその取付座板の一定厚みよりも深い一定深さの断面倒立Ｕ字型に造形された別個な化粧カバーとを備え、
【００１３】
上記ブラケット本体の最大外径よりも若干大きな内径の円形として、化粧カバーの中央部に開口形成された通し込み口を、そのブラケット本体の手摺り受け入れ口筒から通し込んで、上記取付座板に被覆させるエルボ型手摺り受けブラケットにおいて、
【００１４】
上記化粧カバーをＡＢＳ樹脂などの硬質な合成樹脂製品として、その内周面から複数の係止凸条を点在分布状態に張り出す一方、
【００１５】
上記支持脚筒と取付座板との境界部を、化粧カバーの通し込み口と嵌合する外径の目地用台輪として根巻き厚肉状態に張り出し増強すると共に、
【００１６】
上記取付座板の外周面に化粧カバーの係止凸条を受け入れる凸条受け入れ凹溝を、その外周面の全体的に開口連続する環状形態又は点在分布状態に開口する複数として切り欠き、
【００１７】
上記化粧カバーを取付座板への被覆状態に押し込み操作した時、一旦弾力的に拡開する化粧カバーの係止凸条が、その復元収縮力により取付座板の凸条受け入れ凹溝へ自づと嵌まり込み係止して、
【００１８】
その化粧カバーの表面と上記目地用台輪の表面とをほぼ面一状態に維持すると共に、同じく化粧カバーと取付座板との向かい合う相互間に、上記タッピングネジの頭部逃し入れスペースを確保したことを特徴とするものである。
【００１９】
【発明の実施の形態】
以下、図面に基いて本発明の具体的構成を詳述すると、そのエルボ型手摺り受けブラケットの基本実施形態を示した図１〜１６において、（Ａ）は一定の外径（Ｄ１）（例えば約３６ｍｍ）と内径（ｄ１）（例えば約３２ｍｍ）を有する手摺り受け入れ口筒（１０）とその支持脚筒（１１）とから、連続的な側面視のほぼ直角（θ）に屈曲形成された亜鉛合金ダイカスト製又はアルミ合金ダイカスト製のブラケット本体であり、その支持脚筒（１１）の根元部からは建物の壁面（Ｗ）に対する取付座板（Ｂ）が連続一体に張り出している。その取付座板（Ｂ）はフラットな表面を備え、例えば約４ｍｍの一定な厚み（Ｔ１）を有する。
【００２０】
しかも、図３、７から明白なように、ほぼ直角（θ）のエルボ型として屈曲する上記ブラケット本体（Ａ）の入隅側では、その中心（Ｏ１）からの曲率半径（Ｒ１）が例えば約２．５ｍｍの極めて小さく鋭い円弧面（１２ａ）をなす一方、同じく出隅側では別異な中心（Ｏ２）からの曲率半径（Ｒ２）が例えば約３７ｍｍの大きく緩やかな円弧面（１２ｂ）を呈するものとして、その両円弧面（１２ａ）（１２ｂ）が非平行状態に相違変化していることにより、上記のほぼ直角（θ）を２等分する仮想直線（Ｚ−Ｚ）上での外径（Ｄ２）が最大として、その手摺り受け入れ口筒（１０）並びに支持脚筒（１１）の上記一定な外径（Ｄ１）よりも大きく、例えば約３８ｍｍに寸法化されている。
【００２１】
その結果、上記手摺り受け入れ口筒（１０）対するストレートな手摺り（Ｇ）の差し込み代（Ｘ）を例えば約２５ｍｍとして、その支持脚筒（１１）における入隅側の内周面を延長した仮想垂直線（Ｙ−Ｙ）上まで、極力長く確保することができ、手摺り（Ｇ）の端部を奥深く安定・確固に差し込める利点がある。
【００２２】
その手摺り（Ｇ）としては、ステンレス鋼管などの金属管を採用することもできるが、特に木質材や高強度の合成樹脂材から成るストレートな丸棒形態を採用することが好ましく、上記ダイカスト製の手摺り受けブラケットにふさわしい仕様を得られる。
【００２３】
（１３）は上記差し込み代（Ｘ）だけ差し込まれた手摺り（Ｇ）の受け止めストッパーであり、その手摺り受け入れ口筒（１０）の円周面における就中出隅側の天井面と、向かい合う両サイド壁面とから合計３条のリブ形態として、何れも内向き一体に張り出し分布されている。
【００２４】
又、（１４）は同じく手摺り受け入れ口筒（１０）における円周面の片サイド壁面に貫通形成された１個の皿ネジ受け入れ孔であり、ここから挿入される皿ネジ（１５）によって、上記手摺り（Ｇ）がその受け入れ口筒（１０）からの抜け止め状態に固定維持されることとなる。
【００２５】
他方、上記ブラケット本体（Ａ）における支持脚筒（１１）とその根元部から張り出す取付座板（Ｂ）との境界部は、そのブラケット本体（Ａ）の上記最大外径（Ｄ２）よりも若干大きな外径（Ｄ３）（例えば約４０ｍｍ）の目地用台輪（１６）と、これよりも更に若干大きな外径（Ｄ４）（例えば約４２ｍｍ）の化粧カバー受け止め用台輪（１７）との２段階として、その両台輪（１６）（１７）が一定の高低段差（Ｈ１）（例えば約１．５ｍｍ）を保つ言わば根巻き厚肉状態に張り出し増強されている。
【００２６】
そして、その上段の目地用台輪（１６）が化粧カバー（Ｃ）の後述する通し込み口と嵌合し、その嵌合した化粧カバー（Ｃ）を下段の化粧カバー受け止め用台輪（１７）により受け止めて、その化粧カバー（Ｃ）の表面と上記目地用台輪（１６）の表面とを、ほぼ面一状態に維持できるようになっている。尚、下段の化粧カバー受け止め用台輪（１７）は取付座板（Ｂ）から、例えば約４．５ｍｍの一定高さ（Ｈ２）だけ垂立した状態にある。
【００２７】
図示実施形態の上記取付座板（Ｂ）は、手摺り（Ｇ）の長手方向と直交する方向に沿い延在し、且つ４辺が凸曲面をなす平面視の擬似長方形（三味線の胴型）（例えば約４７ｍｍ×約６７ｍｍの大きさ）として造形されており、その４隅部に開口分布するタッピングネジ受け入れ孔（１８）から挿入されるナベ型又は丸型頭部（１９）付きのタッピングネジ（木ネジ）（２０）によって、建物の壁面（Ｗ）へ取り付け固定されることになる。（２１）は上記取付座板（Ｂ）とそのタッピング受け入れ孔（１８）とを縁取る接地座であり、裏向きに若干張り出す補強リブとしても機能する。
【００２８】
但し、上記取付座板（Ｂ）を擬似長方形以外の多角形や楕円形、更には複数のタッピングネジ受け入れ孔（１８）が全体的な放射対称分布型に点在開口する平面視の円形として、造形することもあり得る。
【００２９】
何れにしても、一定の厚み（Ｔ１）を備えた上記取付座板（Ｂ）の外周面には、化粧カバー（Ｃ）の後述する係止凸条を受け入れる凸条受け入れ凹溝（２２）が、その全体的に開口連続する環状のＵ字型又はＶ字型として切り欠かれている。
【００３０】
先に一言した化粧カバー（Ｃ）は図９〜１１に示す如く、ＡＢＳ樹脂やその他の硬質な合成樹脂から上記取付座板（Ｂ）と対応する平面形状であって、しかもその取付座板（Ｂ）の一定厚み（Ｔ１）よりも深い一定深さ（Ｈ３）（例えば約８．５ｍｍ）の断面倒立Ｕ字型に造形されている。又、その化粧カバー（Ｃ）の一定厚み（Ｔ２）は例えば約１．５ｍｍとして、上記ブラケット本体（Ａ）における目地用台輪（１６）と化粧カバー受け止め用台輪（１７）との高低段差（Ｈ１）とほぼ等しく寸法化されている。
【００３１】
（２３）は化粧カバー（Ｃ）の中央部に切り欠かれた円形の通し込み口であって、上記ブラケット本体（Ａ）における目地用台輪（１６）の外径（Ｄ３）とほぼ等しい内径（ｄ２）（例えば約４０．２ｍｍ）を備えており、そのためブラケット本体（Ａ）の手摺り受け入れ口筒（１０）から上記最大外径（Ｄ２）を経て支持脚筒（１１）へ、化粧カバー（Ｃ）を支障なく円滑に通し込むことができ、上記取付座板（Ｂ）を被覆し得るのである。
【００３２】
更に、（２４）は上記取付座板（Ｂ）の外周面に切り欠かれた凸条受け入れ凹溝（２２）と対応位置する関係として、その化粧カバー（Ｃ）の内周面から点在分布状態に張り出された複数の係止凸条であり、何れも一定長さ（Ｌ）（例えば約６ｍｍ）のリブ形態をなしている。
【００３３】
この点、図示実施形態の化粧カバー（Ｃ）は上記取付座板（Ｂ）と対応する平面視の擬似長方形（三味線の胴型）に造形されている関係上、その各辺となる内周面のほぼ中央部から１個づつとして、合計４個の係止凸条（２４）を連続一体に張り出し分布している。
【００３４】
そして、上記ブラケット本体（Ａ）の手摺り受け入れ口筒（１０）から支持脚筒（１１）へ通し込んだ化粧カバー（Ｃ）を、その支持脚筒（１１）の根元部から張り出す取付座板（Ｂ）と対応合致させて、被覆状態に押し込み操作すれば、一旦弾力的に拡開する化粧カバー（Ｃ）の係止凸条（２４）が、その復元収縮力によって取付座板（Ｂ）の凸条受け入れ凹溝（２２）へ自づと嵌まり込み係止することになり、その際「パチン」という鳴音を発するため、最終的な抜け止め状態を確実に感得することができる。
【００３５】
又、上記化粧カバー（Ｃ）の係止凸条（２４）が取付座板（Ｂ）の凸条受け入れ凹溝（２２）へ嵌まり込み係止した最終的には、その化粧カバー（Ｃ）は上記ブラケット本体（Ａ）の化粧カバー受け止め用台輪（１７）に受け止められて、同じくブラケット本体（Ａ）の目地用台輪（１６）と表面同志のほぼ面一な嵌合状態に保たれることとなり、このような化粧カバー（Ｃ）と取付座板（Ｂ）との向かい合う上下相互間を、上記タッピングネジ（２０）における頭部（１９）の逃し入れスペース（Ｓ）として、その頭部（１９）が取付座板（Ｂ）の表面から見苦しく露出することを、完全に被覆化粧することができる。
【００３６】
その場合、化粧カバー（Ｃ）は上記ダイカスト製ブラケット本体（Ａ）の表面と同じ着色合成樹脂から成形することができ、殊更吹付け塗装やその他の表面処理によって、化粧カバー（Ｃ）とブラケット本体（Ａ）に同じブラウンやアンティークゴールド、その他の着色を与えることが好ましい。室内用の手摺り受けブラケットとして、建物の壁面（Ｗ）と調和した優美な化粧効果を得られるからである。
【００３７】
但し、上記凸条受け入れ凹溝（２２）に対する係止凸条（２４）の係止力に抗して、その化粧カバー（Ｃ）を取付座板（Ｂ）から人為強制的に引き抜き浮上させることにより、建物の壁面（Ｗ）に対する上記タッピングネジ（２０）の抜き差し交換作業を行なうことも可能である。
【００３８】
次に、図１７、１８は本発明の変形実施形態に係り、これから示唆されるように、上記ブラケット本体（Ａ）の化粧カバー受け止め用台輪（１７）を省略して、化粧カバー（Ｃ）の通し込み口（２３）と嵌合する目地用台輪（１６）のみが、そのブラケット本体（Ａ）における支持脚筒（１１）と取付座板（Ｂ）との境界部から張り出す言わば１段階の根巻き厚肉状態に造形しても良い。
【００３９】
蓋し、上記化粧カバー（Ｃ）の係止凸条（２４）が取付座板（Ｂ）の凸条受け入れ凹溝（２２）へ嵌まり込み係止することによって、その化粧カバー（Ｃ）の表面と目地用台輪（１６）の表面とがほぼ面一状態に維持されるほか、同じく化粧カバー（Ｃ）と取付座板（Ｂ）との向かい合う相互間を、タッピングネジ（２０）における頭部（１９）の逃し入れスペース（Ｓ）として確保し得るからである。
【００４０】
又、図１〜１６に示した基本実施形態では取付座板（Ｂ）の凸条受け入れ凹溝（２２）を、その取付座板（Ｂ）の外周面へＵ字型又はＶ字型として切り欠いているが、化粧カバー（Ｃ）を取付座板（Ｂ）からの抜け止め状態に保てるならば、上記凸条受け入れ凹溝（２２）を図１７のような裏向きにも開口する倒立Ｌ字型として切り欠き、その凸条受け入れ凹溝（２２）へ裏側から化粧カバー（Ｃ）の係止凸条（２４）が嵌まり込み係止するように設定してもさしつかえない。
【００４１】
更に、上記基本実施形態では取付座板（Ｂ）の凸条受け入れ凹溝（２２）を、その取付座板（Ｂ）の外周面に沿い開口連続する環状形態として切り欠いているが、取付座板（Ｂ）と化粧カバー（Ｃ）とが対応的な平面視の多角形をなす場合に限っては、図１８から明白なように、その取付座板（Ｂ）の凸条受け入れ凹溝（２２）を化粧カバー（Ｃ）の係止凸条（２４）と対応合致する言わば点在分布状態として、その一定長さ（Ｌ）だけ切り欠き開口させても良い。その係止凸条（２４）と凸条受け入れ凹溝（２２）とが一定長さ（Ｌ）分だけ嵌合して、化粧カバー（Ｃ）の抜け止め状態に保たれることに変りはないからである。
【００４２】
尚、このような変形実施形態におけるその他の構成は上記基本実施形態と実質的に同一であるため、その図１７、１８に図１〜１６との対応符号を記入するにとどめて、その詳細な説明を省略する。
【００４３】
上記基本実施形態とその変形実施形態の何れにあっても、本発明のエルボ型手摺り受けブラケットを使用する場合には、そのブラケット本体（Ａ）の手摺り受け入れ口筒（１０）から支持脚筒（１１）へ、予じめ化粧カバー（Ｃ）を図１２のように通し込んでおき、引き続き図１３、１４のように手摺り受け入れ口筒（１０）へ、手摺り（Ｇ）の端部を差し込み固定し、その後取付座板（Ｂ）を複数のタッピングネジ（木ネジ）（２０）によって、建物の壁面（Ｗ）へ取り付け固定する。
【００４４】
そして、最後に上記化粧カバー（Ｃ）を図１３〜１６のように、取付座板（Ｂ）と正しく対応合致させ、その取付座板（Ｂ）への被覆状態に化粧カバー（Ｃ）を押し込み操作して、化粧カバー（Ｃ）の係止凸条（２４）を取付座板（Ｂ）の凸条受け入れ凹溝（２２）へ嵌め込み係止させれば良い。
【００４５】
その際、化粧カバー（Ｃ）は合成樹脂から断面倒立Ｕ字型に造形されており、その内周面から張り出す係止凸条（２４）は複数の点在分布状態にあるため、これを取付座板（Ｂ）へ容易に押し込み操作することができ、そうすれば化粧カバー（Ｃ）の係止凸条（２４）が一旦拡開する弾力的な復元収縮力によって、取付座板（Ｂ）の凸条受け入れ凹溝（２２）へ自づと瞬時に嵌まり込み係止し、決して抜け出さない凹凸嵌合状態に保たれることとなる。
【００４６】
又、上記タッピングネジ（２０）のナベ型又は丸型頭部（１９）を被覆した化粧カバー（Ｃ）は、ブラケット本体（Ａ）の目地用台輪（１６）と表面同志のほぼ面一状態に保たれ、しかもその目地用台輪（１６）によってブラケット本体（Ａ）の支持脚筒（１１）と、取付座板（Ｂ）との境界部が根巻き厚肉状態に増強されているため、耐久性と化粧効果に優れた室内用の手摺り受けブラケットを得ることができ、その耐久性は上記化粧カバー受け止め用台輪（１７）の張り出し形成によって、ますます向上することになる。
【００４７】
【発明の効果】
以上のように、本発明では手摺り（Ｇ）の受け入れ口筒（１０）とその支持脚筒（１１）とが、入隅側では曲率半径（Ｒ１）の小さく鋭い円弧面（１２ａ）をなし、出隅側では別異な中心（Ｏ２）からの曲率半径（Ｒ２）が大きく緩やかな円弧面（１２ｂ）をなす連続的なほぼ直角（θ）に屈曲された亜鉛合金ダイカスト製又はアルミ合金ダイカスト製のブラケット本体（Ａ）と、
【００４８】
そのブラケット本体（Ａ）における支持脚筒（１１）の根元部から連続一体に張り出して、複数のタッピングネジ（２０）により建物の壁面（Ｗ）へ取り付け固定される取付座板（Ｂ）と、
【００４９】
上記取付座板（Ｂ）と対応する平面形状であって、しかもその取付座板（Ｂ）の一定厚み（Ｔ１）よりも深い一定深さ（Ｈ３）の断面倒立Ｕ字型に造形された別個な化粧カバー（Ｃ）とを備え、
【００５０】
上記ブラケット本体（Ａ）の最大外径（Ｄ２）よりも若干大きな内径（ｄ２）の円形として、化粧カバー（Ｃ）の中央部に開口形成された通し込み口（２３）を、そのブラケット本体（Ａ）の手摺り受け入れ口筒（１０）から通し込んで、上記取付座板（Ｂ）に被覆させるエルボ型手摺り受けブラケットにおいて、
【００５１】
上記化粧カバー（Ｃ）をＡＢＳ樹脂などの硬質な合成樹脂製品として、その内周面から複数の係止凸条（２４）を点在分布状態に張り出す一方、
【００５２】
上記支持脚筒（１１）と取付座板（Ｂ）との境界部を、化粧カバー（Ｃ）の通し込み口（２３）と嵌合する外径（Ｄ３）の目地用台輪（１６）として根巻き厚肉状態に張り出し増強すると共に、
【００５３】
上記取付座板（Ｂ）の外周面に化粧カバー（Ｃ）の係止凸条（２４）を受け入れる凸条受け入れ凹溝（２２）を、その外周面の全体的に開口連続する環状形態又は点在分布状態に開口する複数として切り欠き、
【００５４】
上記化粧カバー（Ｃ）を取付座板（Ｂ）への被覆状態に押し込み操作した時、一旦弾力的に拡開する化粧カバー（Ｃ）の係止凸条（２４）が、その復元収縮力により取付座板（Ｂ）の凸条受け入れ凹溝（２２）へ自づと嵌まり込み係止して、
【００５５】
その化粧カバー（Ｃ）の表面と上記目地用台輪（１６）の表面とをほぼ面一状態に維持すると共に、同じく化粧カバー（Ｃ）と取付座板（Ｂ）との向かい合う相互間に、上記タッピングネジ（２０）の頭部逃し入れスペース（Ｓ）を確保してあるため、冒頭に述べた従来技術の課題を悉く改良できる効果がある。
【００５６】
即ち、本発明の上記構成によれば、そのエルボ型のブラケット本体（Ａ）が建物の壁面（Ｗ）に対する取付座板（Ｂ）も含む全体として、亜鉛合金ダイカスト製品又はアルミ合金ダイカスト製品であり、又その取付座板（Ｂ）の化粧カバー（Ｃ）はＡＢＳ樹脂などの硬質な合成樹脂製品であるため、従来技術のような金属管からのバルジ成形品と異なって、別途に作成準備した取付座板（１９）を金具本体管（Ａ）の脚管部（１１）へ溶接作業する必要がなく、化粧カバー（２４）の複雑な板金プレス加工を行なう必要もない。その結果、エルボ型手摺り受けブラケットの量産効果を最大限に発揮させることができるのであり、金属板から成る化粧カバー（２４）の通し込み口（２５）によって金具本体管（Ａ）の表面に摺り傷を与えるおそれはない。
【００５７】
しかも、本発明の上記構成ではブラケット本体（Ａ）の手摺り受け入れ口筒（１０）から支持脚筒（１１）へ通し込んだ化粧カバー（Ｃ）を、その支持脚筒（１１）の根元部から張り出す取付座板（Ｂ）と対応合致させて、その取付座板（Ｂ）への被覆状態に押し込み操作すれば、一旦弾力的に拡開する化粧カバー（Ｃ）の係止凸条（２４）が、その復元収縮力によって取付座板（Ｂ）の凸条受け入れ凹溝（２２）へ自づと嵌まり込み係止することになり、その際に「パチン」と言う鳴音を発するため、これを以って正規な深さ位置までの被覆状態を確実に感得することができるのであり、その凹凸嵌合によって不慮に滑り抜けるおそれもない。
【００５８】
又、上記化粧カバー（Ｃ）の係止凸条（２４）が取付座板（Ｂ）の凸条受け入れ凹溝（２２）へ嵌まり込み係止した最終的には、その化粧カバー（Ｃ）の表面がブラケット本体（Ａ）における目地用台輪（１６）の表面とほぼ面一な嵌合状態に保たれ、しかもこのような化粧カバー（Ｃ）と取付座板（Ｂ）との向かい合う上下相互間を、上記タッピングネジ（２０）における頭部（１９）の逃し入れスペース（Ｓ）として、その頭部（１９）が取付座板（Ｂ）の表面から見苦しく露出することを、完全に被覆化粧できるのであり、その意味からありふれた丸型又はナベ型頭部（１９）付きのタッピングネジ（２０）を使用すれば足りる。
【００５９】
特に、請求項２の構成を採用するならば、ブラケット本体（Ａ）における支持脚筒（１１）と取付座板（Ｂ）との境界部を、その２段階での根巻き厚肉状態として一層増強することができ、しかも下段の化粧カバー受け止め用台輪（１７）により化粧カバー（Ｃ）を、その表面が目地用台輪（１６）の表面とほぼ面一状態となるように、ますます安定良く受け止め支持できる効果もある。
【００６０】
請求項３の構成を採用するならば、エルボ型手摺り受けブラケットの取付座板（Ｂ）を建物における壁面（Ｗ）のコーナー部へ極力接近させた状態として、そのコーナー部に位置する柱やその他の骨材へ、強固に安定良く取り付け使用することができるほか、その取付座板（Ｂ）へ化粧カバー（Ｃ）も容易に、且つ安定良く嵌め込み係止させ得る効果がある。
【００６１】
更に、請求項４の構成を採用するならば、合成樹脂製の化粧カバー（Ｃ）を採用しつつも、その塗装やその他の表面処理により、ダイカスト製ブラケット本体（Ａ）の表面と一層緻密な仕上がり状態の同一着色を与えることができ、室内化粧効果の向上に役立つ。
【図面の簡単な説明】
【図１】本発明に係るエルボ型手摺り受けブラケットの基本実施形態を示す斜面図である。
【図２】図１の正面図である。
【図３】図２の側面図である。
【図４】図３の平面図である。
【図５】図３の底面図である。
【図６】図４の６−６線断面図である。
【図７】図４の７−７線に沿う拡大断面図である。
【図８】図４の８−８線に沿う断面図である。
【図９】化粧カバーを抽出して示す平面図である。
【図１０】図９の１０−１０線断面図である。
【図１１】図９の底面図である。
【図１２】建物の壁面に対する手摺り受けブラケットの取り付け過程を示す側断面図である。
【図１３】図１２に続く手摺りの差し込み固定状態を示す側断面図である。
【図１４】図１３の１４−１４線断面図である。
【図１５】図１３の１５−１５線断面図である。
【図１６】図１２の１６−１６線断面図である。
【図１７】本発明の変形実施形態を示す図１４に対応する断面図である。
【図１８】図１７の１８−１８線断面図である。
【符号の説明】
（１０）・手摺り受け入れ口筒
（１１）・支持脚筒
（１２ａ）・入隅側円弧面
（１２ｂ）・出隅側円弧面
（１３）・手摺り受け止めストッパー
（１６）・目地用台輪
（１７）・化粧カバー受け止め用台輪
（１８）・タッピングネジ受け入れ孔
（１９）・頭部
（２０）・タッピングネジ（木ネジ）
（２２）・凸条受け入れ凹溝
（２３）・通し込み口
（２４）・係止凸条
（Ａ）・ブラケット本体
（Ｂ）・取付座板
（Ｃ）・化粧カバー
（Ｇ）・手摺り
（Ｓ）・逃し入れスペース
（Ｗ）・建物の壁面
【図１】
2004176336.tif 000003
【図２】
2004176336.tif 000004
【図３】
2004176336.tif 000005
【図４】
2004176336.tif 000006
【図５】
2004176336.tif 000007
【図６】
2004176336.tif 000008
【図７】
2004176336.tif 000009
【図８】
2004176336.tif 000010
【図９】
2004176336.tif 000011
【図１０】
2004176336.tif 000012
【図１１】
2004176336.tif 000013
【図１２】
2004176336.tif 000014
【図１３】
2004176336.tif 000015
【図１４】
2004176336.tif 000016
【図１５】
2004176336.tif 000017
【図１６】
2004176336.tif 000018
【図１７】
2004176336.tif 000019
【図１８】
2004176336.tif 000020
【手続補正書】
【提出日】平成14年12月2日(2002.12.2)
【手続補正１】
【補正対象書類名】明細書
【補正対象項目名】００２１
【補正方法】変更
【補正の内容】
【００２１】
その結果、上記手摺り受け入れ口筒（１０）に対するストレートな手摺り（Ｇ）の差し込み代（Ｘ）を例えば約２５ｍｍとして、その支持脚筒（１１）における入隅側の内周面を延長した仮想垂直線（Ｙ−Ｙ）上まで、極力長く確保することができ、手摺り（Ｇ）の端部を奥深く安定・確固に差し込める利点がある。


【手続補正２】
【補正対象書類名】明細書
【補正対象項目名】００２７
【補正方法】変更
【補正の内容】
【００２７】
図示実施形態の上記取付座板（Ｂ）は、手摺り（Ｇ）の長手方向と直交する方向に沿い延在し、且つ４辺が凸曲面をなす平面視の擬似長方形（三味線の胴型）（例えば約４７ｍｍ×約６７ｍｍの大きさ）として造形されており、その４隅部に開口分布するタッピングネジ受け入れ孔（１８）から挿入されるナベ型又は丸型頭部（１９）付きのタッピングネジ（木ネジ）（２０）によって、建物の壁面（Ｗ）へ取り付け固定されることになる。（２１）は上記取付座板（Ｂ）とそのタッピングネジ受け入れ孔（１８）とを縁取る接地座であり、裏向きに若干張り出す補強リブとしても機能する。


【手続補正３】
【補正対象書類名】明細書
【補正対象項目名】００４３
【補正方法】変更
【補正の内容】
【００４３】
上記基本実施形態とその変形実施形態との何れにあっても、本発明のエルボ型手摺り受けブラケットを使用する場合には、そのブラケット本体（Ａ）の手摺り受け入れ口筒（１０）から支持脚筒（１１）へ、予じめ化粧カバー（Ｃ）を図１２のように通し込んでおき、引き続き図１３、１４のように手摺り受け入れ口筒（１０）へ、手摺り（Ｇ）の端部を差し込み固定し、その後取付座板（Ｂ）を複数のタッピングネジ（木ネジ）（２０）によって、建物の壁面（Ｗ）へ取り付け固定する。